(57)【要約】【課題】ロック機構のピン付勢手段の損傷を防止でき、操作性も良い締付装置を提供する。【解決手段】締付装置Ｂは、一方の被緊締体１に固定される支持部材５と、他方の被緊締体２に固定されるベース部材１０と、基端部が第１回動軸３１を介してベース部材１０に回動可能に連結された断面略コ字形の操作レバー２０と、一端部が第２回動軸３２を介して支持部材５に回動可能に連結され、他端部が第３回動軸３３を介して操作レバー２０の基端部に回動可能に連結されたアーム４０と、操作レバー２０をベース部材１０への重なり位置でロックするロック機構５０とを備えている。ロック機構５０は、ベース部材１０に設けられた係止爪１４ａと、操作レバー２０の両側壁２２間に掛け渡されたロックピン５１と、操作レバー２０内に収容されロックピン５１を係止爪１４ａに向かって付勢するピン付勢手段５５とを含む。【選択図】  図９
2004183320.tif 000002
【特許請求の範囲】
【請求項１】
（イ）一方の被緊締体に固定される支持部材と、
（ロ）他方の被緊締体に固定されるベース部材と、
（ハ）基端部が第１回動軸を介して上記ベース部材に回動可能に連結された断面略コ字形の操作レバーと、
（ニ）一端部が第２回動軸を介して上記支持部材に回動可能に連結され、他端部が第３回動軸を介して上記操作レバーの基端部に回動可能に連結されたアームと、
（ホ）ロック機構と、
を備え、上記操作レバーの回動に伴い、上記第３回動軸が上記第１，第２回動軸と一直線上に位置するデッドポイントを超え、上記操作レバーが上記ベース部材に重なる位置に達するようにし、この重合位置で操作レバーを上記ロック機構によりロックするようにした締付装置において、
上記ロック機構は、上記ベース部材に設けられた係止爪と、上記操作レバーの両側壁間に掛け渡され係止爪への係合位置と係止爪から離れた係合解除位置との間で移動可能なロックピンと、操作レバー内に収容されロックピンを上記係止爪に向かって付勢してロックピンの係止爪への係合位置を維持するピン付勢手段とを含むことを特徴とするロック機構付き締付装置。
【請求項２】
上記アームは第２，第３回動軸を互いに近づけるように付勢する回動軸付勢手段を含み、上記操作レバーはこの回動軸付勢手段により、上記第３回動軸がデッドポイントにある位置から遠ざかる方向に回動付勢されることを特徴とする請求項１に記載のロック機構付き締付装置。
【請求項３】
上記第１回動軸と第２回動軸との間には、これら第１，第２回動軸を互いに遠ざける方向に付勢する回動軸付勢手段が配置され、上記操作レバーはこの回動軸付勢手段により、上記第３回動軸がデッドポイントにある位置から遠ざかる方向に回動付勢されることを特徴とする請求項１に記載のロック機構付き締付装置。
【請求項４】
上記ロックピンの一端部は、上記操作レバーの一方の側壁の支持穴に遊びをもって貫通することにより回動可能に支持され、ロックピンの他端部は操作レバーの他方の側壁の長穴を貫通して操作レバーの外に突出するつまみ部となり、上記係止爪は操作レバー内において操作レバーの他の側壁に近接して配置され、上記操作レバーのつまみ部が長穴に沿って、係止爪への係合位置と係止爪から離れた係合解除位置との間で移動可能となっていることを特徴とする請求項１〜３のいずれかに記載のロック機構付き締付装置。
【請求項５】
上記係止爪は上記第３回動軸の反対側に突出し、上記ピン付勢手段は引張コイルバネからなり、その一端が上記ロックピンに掛けられ、他端が操作部材に設けられた引掛部に掛けられ、この引掛部はロックピンより操作レバーの基端部側に配置され、この引張コイルバネによりロックピンが第３回動軸に向かって付勢されていることを特徴とする請求項１〜４のいずれかに記載のロック機構付き締付装置。
【請求項６】
上記第３回動軸が上記引掛部として提供されることを特徴とする請求項５に記載のロック機構付き締付装置。
【発明の詳細な説明】
【０００１】
【発明の属する技術分野】
本発明は、２つの被緊締体を締め付け、この締付状態を維持することができるロック機構付き締付装置に関する。
【０００２】
【従来の技術】
実開平６１−２０８７３号公報に開示された締付装置は、一方の被緊締体に固定された支持金具と、他方の被緊締体に固定されたベース金具と、基端部が第１回動軸を介してベース金具に回動可能に連結された断面略コ字形の操作レバーと、一端部が第２回動軸を介して支持金具に着脱可能かつ回動可能に連結され他端部が第３回動軸を介して上記操作レバーの基端部に回動可能に連結されたアームとを備えている。上記アームは、一端に係止部を有する２つの細長いアーム片と圧縮コイルバネとを含む組立体からなり、第２，第３回動軸を互いに近づける方向に付勢している。
【０００３】
上記締付装置において、上記操作レバーの回動範囲の中間に、上記第３回動軸が第１，第２回動軸と一直線上に位置するデッドポイントがある。操作レバーは第３回動軸がデッドポイントにある位置を超えてベース金具に重なり、この状態で２つの被緊締体が締め付けられるようになっている。この操作レバーのベース金具への重合位置はロック機構により維持される。
【０００４】
上記ロック機構について説明する。操作レバーの一方の側壁には切欠が形成され、この切欠の周縁の一部が係止爪として提供されている。ベース金具には、２つの支持片が切り起こされており、両支持片間にロックピンが掛け渡されている。ロックピンの一端部は、上記支持片の支持穴に遊びをもって挿入されることにより回動可能に支持され、ロックピンの他端部は他方の支持片の長穴を貫通してつまみ部となっている。
【０００５】
上記ベース金具には上記ロックピンから見て第３回動軸の反対側に引掛ピンが固定されており、このロックピンと引掛ピンとの間に引張コイルバネ（ピン付勢手段）が掛けられている。上記のように操作レバーがベース金具に重なった状態において、ロックピンが引張コイルバネに付勢され操作レバーの係止爪に係合された状態を維持される。ロックピンのつまみ部を引張コイルバネに抗して支持片の長穴に沿って移動させると、ロックピンは係止爪から離れて係合解除位置に至る。ロックピンを係合解除位置に維持したまま、操作レバーをベース金具から離れるように回し、さらに操作レバーを回して第３回動軸がデッドポイントを超えることにより、２つの被緊締体の締め付け状態が解除される。
【０００６】
【特許文献１】
実開平６１−２０８７３号公報（図１）
【０００７】
【発明が解決しようとする課題】
しかし、上記公報の装置では、操作レバーがベース金具から離れた状態において、このベース金具に装着された引張コイルバネが露出しており、誤って手で触れて破損させたり、ロックピンから外してしまうおそれがあった。また、締付解除の際には、片方の手でロックピンを係合解除位置にしたまま、他方の手で操作レバーを回す必要があり、操作性が悪かった。
【０００８】
【課題を解決するための手段】
この発明は、上記の問題を解決するためになされたものであり、（イ）一方の被緊締体に固定される支持部材と、（ロ）他方の被緊締体に固定されるベース部材と、（ハ）基端部が第１回動軸を介して上記ベース部材に回動可能に連結された断面略コ字形の操作レバーと、（ニ）一端部が第２回動軸を介して上記支持部材に回動可能に連結され、他端部が第３回動軸を介して上記操作レバーの基端部に回動可能に連結されたアームと、（ホ）ロック機構と、を備え、上記操作レバーの回動に伴い、上記第３回動軸が上記第１，第２回動軸と一直線上に位置するデッドポイントを超え、上記操作レバーが上記ベース部材に重なる位置に達するようにし、この重合位置で操作レバーを上記ロック機構によりロックするようにした締付装置において、
上記ロック機構は、上記ベース部材に設けられた係止爪と、上記操作レバーの両側壁間に掛け渡され係止爪への係合位置と係止爪から離れた係合解除位置との間で移動可能なロックピンと、操作レバー内に収容されロックピンを上記係止爪に向かって付勢してロックピンの係止爪への係合位置を維持するピン付勢手段とを含むことを特徴とする。
【０００９】
上記構成によれば、ピン付勢手段が操作レバー内に収容されているので、誤って人手に触れて破損したり外れたりするのを防止することができる。また、ロックピンが操作レバーに設けられているので、片方の手だけでロックピンの係合解除をしながら操作レバーを回すことができ、操作性が良い。
【００１０】
一態様として、上記アームは第２，第３回動軸を互いに近づけるように付勢する回動軸付勢手段を含み、上記操作レバーはこの回動軸付勢手段により、上記第３回動軸がデッドポイントにある位置から遠ざかる方向に回動付勢される。これにより、アームの回動軸付勢手段で操作アームを回動させることができるので操作性が良い。
【００１１】
他の態様として、上記第１回動軸と第２回動軸との間には、これら第１，第２回動軸を互いに遠ざける方向に付勢する回動軸付勢手段が配置され、上記操作レバーはこの回動軸付勢手段により、上記第３回動軸がデッドポイントにある位置から遠ざかる方向に回動付勢される。これにより、アームの回動軸付勢手段で操作アームを回動させることができるので操作性が良い。
【００１２】
好ましくは、上記ロックピンの一端部は、上記操作レバーの一方の側壁の支持穴に遊びをもって貫通することにより回動可能に支持され、ロックピンの他端部は操作レバーの他方の側壁の長穴を貫通して操作レバーの外に突出するつまみ部となり、上記係止爪は操作レバー内において操作レバーの他の側壁に近接して配置され、上記操作レバーのつまみ部が長穴に沿って、係止爪への係合位置と係止爪から離れた係合解除位置との間で移動可能となっている。この構成によれば、ロックピンの操作アームへの取付構造を簡単にすることができる。
【００１３】
好ましくは、上記係止爪は上記第３回動軸の反対側に突出し、上記ピン付勢手段は引張コイルバネからなり、その一端が上記ロックピンに掛けられ、他端が操作部材に設けられた引掛部に掛けられ、この引掛部はロックピンより操作レバーの基端部側に配置され、この引張コイルバネによりロックピンが第３回動軸に向かって付勢されている。この構成によれば、ピン付勢手段としての引張コイルバネをロックピンと第３回動軸との間に配置するので、操作レバーおよびベース金具を小形にすることができる。
【００１４】
好ましくは、上記第３回動軸が上記引掛部として提供される。この構成によれば、第３回動軸が引張コイルバネの引掛部を兼用するので、操作レバーの構造を簡単にできるとともに、さらに小形にすることができる。
【００１５】
【発明の実施の形態】
以下、本発明の第１実施形態について図１〜図１５を参照しながら説明する。図１に示すように、ケーシング１（一方の被緊締体）の右側縁には、ヒンジ機能を有する締付装置Ａを介して蓋２（他方の被緊締体）の右側縁が回動可能に連結されており、この蓋２によりケーシング１の上部開口が開閉されるようになっている。この蓋２の左側縁は締付装置Ｂを介してケーシング１の左側縁に掛けられ、閉じ状態を維持されるようになっている。なお、ケーシング１の開口周縁にはシール部材３が設けられており、ケーシング１と蓋２とが気密ないしは液密となっている。なお、シール部材３は蓋２に設けてもよい。
【００１６】
最初に締付装置Ｂの詳細な構造について主に図２〜図６を参照しながら説明する。締付装置Ｂは、ケーシング１の側面に固定されたフック形状の支持金具５（支持部材）と、蓋２の左側縁部に固定されたベース金具１０（ベース部材）と、基端部がベース金具１０に第１回動軸３１を介して回動可能に連結された操作レバー２０と、支持金具５と操作レバー２０の基端部とを連携させる一対のアーム４０と、操作レバー２０による蓋２の締付状態を維持するロック機構５０とを備えている。支持金具５は、その上端部にフック部５ａを有している。
【００１７】
ベース金具１０は、蓋２の上面に固定されその左側縁と直交する方向に延びる細長い平板部１１と、この平板部１１と直角をなして蓋２の縁面に沿う短い平板部１２と、平板部１１と直角をなして起こされた本ロック片１３および仮ロック片１４と，平板部１２と直角をなして起こされた一対の支持片１５とを有している。本ロック片１３は平板部１１の幅方向中央に形成されており、その上端部には南京錠のシャックル４（図２にのみ示す）を通すための穴１３ａが形成されている。
【００１８】
上記仮ロック片１４は、上記ロック機構５０の構成要素の１つであり、平板部１１の一方の側縁近傍に形成されており、本ロック片１３と後述する第３回動軸３３との間に配置されている。図７〜図９に最も良く示されているように、仮ロック片１４の上端部には、第３回動軸３３の反対側に突出する係止爪１４ａが形成されており、この係止爪１４ａの上面は傾斜面１４ｂとなっている。上記一対の支持片１５には第１回転軸３１が掛け渡されている。
【００１９】
上記操作レバー２０は断面コ字形をなして細長く形成されており、主壁２１と、この主壁２１の両側縁から直角をなして延びる一対の側壁２２と、基端部の開口を塞ぐ端壁２３とを有している。一対の側壁２２の基端部は上記主壁２１と直交する方向に突出しており、この突出端部２２ａが上記第１回動軸３１を介してベース金具１０に回転可能に支持されている。主壁２１の先端部からはつまみ部２４が延びており、このつまみ部２４には、上記本ロック片１３を通すためのスリット２４ａが形成されている。
【００２０】
上記操作レバー２０の一対の側壁２２の基端部には第３回動軸３３が掛け渡されており、これら側壁２２の先端部間には丸棒形状のロックピン５１が掛け渡されている。図４に最も良く示されているように、ロックピン５１の一端部は、他の部位に比べて小径をなし、一方の側壁２２に形成された丸い支持穴２２ｘを遊びをもって貫通して操作レバー２０の外に突出している。この端部には操作レバー２０の内側において環状の段差が形成され、操作レバー２０の外側において係止リング５２が嵌められており、これら段差と係止リング５２とで、ロックピン５１の端部が操作レバー２０の一方の側壁２２に回動可能に連結されている。
【００２１】
ロックピン５１の他端部は他方の側壁２２（仮ロック片１４に近い方の側壁２２）に形成された傾斜長穴２２ｙを貫通して操作レバー２０の外に突出しており、この長穴２２ｙに沿って移動可能となっている。このロックピン５１の他端部は、つまみ部５１ａとして提供される。長穴２２ｙの左下側の端部（後述するようにロックピン５１の係合位置に対応する端部）と上記支持穴２２ｘとを結ぶ線は、操作レバー２０の長手方向と直交している。
【００２２】
上記第３回動軸３３とロックピン５１との間には引張コイルバネ５５（ピン付勢手段）が掛けられている。第３回動軸３３は、引張りコイルバネ５５の引掛部として提供される。上記引張コイルバネ５５，ロックピン５１は、ロック機構５０の主要構成要素を構成する。なお、図４に示すようにロックピン５１の中央には環状の溝５１ｂが形成されており、この溝５１ｂに引張コイルバネ５５が掛けられることにより、その横ずれが防止されるようになっている。
【００２３】
次に、アーム４０（アーム手段）について詳述する。図５、図６に最も良く示されているように、各アーム４０は、細長い金属板からなる第１アーム片４１および第２アーム片４２と、これらアーム片４１，４２を包む圧縮コイルバネ４３とを含む組立体からなる。第１アーム片４１の上端部はＴ字形をなし横に突出する係止部４１ａを有しており、第２アーム片４２の下端部はＴ字形をなし横に突出する係止部４２ａを有している。上記圧縮コイルバネ４３は、上記係止部４１ａ，４２ａ間に配置され、これら係止部４１ａ，４２ａを互いに遠ざけるように付勢している。なお、上記第１アーム片４１は係止肩部４１ｂを有しており、この係止肩部４１ｂに上記第２アーム片４２の係止部４２ａが当たることにより、係止部４１ａ，４２ａの間隔が広がるのを規制されており、この規制状態で圧縮コイルバネ４３は圧縮状態を維持されている。
【００２４】
一対のアーム４０の第１アーム片４１の下端部間には第２回動軸３２が掛け渡されている。この第２回動軸３２は、支持金具５のフック部５ａに掛けられるようになっており、これによりアーム４０の下端部は第２回動軸３２を介して支持金具５に着脱可能かつ回動可能に連結されるようになっている。また、一対のアーム４０の第２アーム片４２の上端部は、操作レバー２０から外に突出した第３回動軸３３の両端部にそれぞれ連結されている。これにより、アーム４０は第３回動軸３３を介して操作レバー２０の基端部に回動可能に連結されている。
【００２５】
上記締付装置Ｂの作用について、主に図７〜図９を参照しながら説明する。蓋２が閉じた状態において、図７に示すように操作レバー２０がベース金具１０に対して開き、アーム４０が支持金具５から離れた状態にある。まず、操作レバー２０を第１回動軸３１を中心にして時計回り方向に回しながら、第２回動軸３２を支持金具５のフック部５ａに引掛ける。これにより、アーム４０は支持金具５の第２回動軸３２を中心として支持金具５に回動可能に連結されることになる。
【００２６】
さらに操作レバー２０を時計回りに回動させると、第２回動軸３２と第３回動軸３３との間隔が離れ、これに伴いアーム片４１、４２の係止部４１ａ，４２ａの間隔が縮まり、圧縮コイルバネ４３が圧縮される。この圧縮コイルバネ４３の弾性力により、第２回動軸３２と第３回動軸３３には互いに引き付け合う力が働くため、操作レバー２０は反時計回りのモーメントを受け、これと同時に蓋２はケーシング１に押し付けられる。
【００２７】
さらに操作レバー２０を圧縮コイルバネ４３に抗して時計回りに回動させると、第３回動軸３３が図８に示すデッドポイントに至る。すなわち、回動軸３１，３２，３３が同一直線上に配置され、第１回動軸３１が第２回動軸３２と第３回動軸３３との間に配置される。この状態では、第２回動軸３２と第３回動軸３３との間隔は最大限離れており、圧縮コイルバネ４３は最大限に圧縮された状態となる。
【００２８】
上記デッドポイントを超えて操作レバー２０を時計回りに回動させると、圧縮コイルバネ４３により第３回動軸３３を第２回動軸３２へ引き付ける力は、操作アーム２０を時計回りに回動させるモーメントとなり、操作アーム２０はベース１０に向かって回動される。操作アーム２０がベース１０に接近すると、ロックピン５１のつまみ部５１ａの近傍部が係止爪１４ａの傾斜面１４ｂに達する。圧縮コイルバネ４３は引張コイルバネ５５より遥かに強いので、操作レバー２０は図９に示すベース１０との重合位置に達する。この過程で、ロックピン５１のつまみ部５１ａの近傍部が傾斜面１４ｂに沿って移動し、係止爪１４ａの先端を超え、引張コイルバネ５５の力で元に戻り係止爪１４ａの下に入り込む。なお、操作レバー２０の側壁２２に形成された長穴２２ｙが係止爪１４ａの傾斜面１４ｂと交差する方向に傾斜しているため、このようなロックピン５１の動きが可能となる。なお、操作レバー２０のベース金具１０との重合位置までの回動を人手により行ってもよいことは勿論である。
【００２９】
上記のようにして操作レバー２０がベース１０に重なった状態では、アーム４０の圧縮コイルバネ４３の弾性力により、蓋２はケーシング１に締め付けられた状態となる。操作レバー２０に設けられたロックピン５１がベース金具１０に設けられた係止爪１４ａに係止されて仮ロックされているので、蓋２に開き方向の外力が働いても操作レバー２０が反時計回りに回動せず、上記締付状態を維持できる。
【００３０】
なお、操作レバー２０がベース金具１０に重合した位置では、操作レバー２０のつまみ部２４のスリット２４ａがベース金具１０の本ロック片１３に嵌っており、この本ロック片１３の穴１３ａに南京錠のシャックル４を通すことにより、本ロックを行うことができる。
【００３１】
蓋２の締付状態を解除する場合には、本ロック状態を解除した後、ロックピン５１のつまみ部５１ａを引張コイルバネ５５に抗して第３回動軸３３から遠ざける方向に長穴２２ｙに沿って移動する。これにより、ロックピン５１と係止爪１４ａの係合状態が解除され、仮ロック状態が解除される。上記のようにしてロックピン５１を係合解除位置に維持したまま、操作レバー２０を圧縮コイルバネ４３に抗して反時計回りに回動させてベース金具１０から遠ざける。なお、ロックピン５１の係合解除と操作レバー２０の回動は片方の手で同時に行うことができるので操作性が良い。
【００３２】
操作レバー２０をさらに圧縮コイルバネ４３に抗して反時計回りに回動させるとやがて図８のデッドポイントに至り、さらに同方向に回動させると、操作レバー２０は圧縮コイルバネ４３により反時計回りのモーメントを受け、やがて図７に示す状態となり第２回動軸３２も支持金具５から離れる。このようにして締付状態を解除された蓋２は開き動作が可能となる。
【００３３】
操作レバー２０がベース１０から離れた状態において、引張コイルバネ５５は断面コ字形をなす操作レバー２０内に収容されているので、誤って人手に触れて破損したり外れたりするのを防止することができる。
【００３４】
次に、蓋２の回動中心側に位置する締付装置Ａについて図１０〜図１５を参照しながら説明する。この締付装置Ａは、締付装置Ｂと同様の３つの回動軸３１〜３３，操作レバー２０，ロック機構５０を備えている。蓋２に固定されるベース金具は締付装置Ｂと形状が異なるが図において同符号を付する。
【００３５】
締付装置Ａにおいて、ケーシング１には断面コ字形をなす支持金具６５（支持部材）が固定されている。この支持金具６５の上端部の両側壁には第２回動軸３２が貫通している。細長い金属板を一部屈曲させてなる一対のアーム７０の下端部は、支持金具６５の外側において第２回動軸３２の両端部に連結され、これにより第２回動軸３２を介して支持金具６５に着脱不能で回動可能に連結されている。アーム７０の上端部は、第３回動軸３３を介して操作レバー２０の基端部に回動可能に連結されている。
【００３６】
上記ベース金具１０の一対の支持片１５は、ケーシング１に向かって延びる延長部１５ａを有しており、この延長部１５ａは、上記支持金具６５の両側壁の内側に配置されている。図１５に最も良く示されているように、この延長部１５ａには、蓋２の閉じ状態においてほぼ垂直に延びる長穴１５ｂが形成されており、この長穴１５ｂに第２回動軸３２が貫通している。
【００３７】
第１回動軸３１と第２回動軸３２との間には圧縮コイルバネ８０（回動軸付勢手段）が介在されており、両回動軸３１，３２を互いに遠ざけるように付勢している。この圧縮コイルバネ８０は、円筒形状の保護筒８１に収容されている。この保護筒８１の一端部（蓋閉じ状態の上端部）には第１回動軸３１が貫通している。図１５に最も良く示されているように、保護筒８１の他端部には第２回動軸３２が貫通させるスリット８１ａが形成されている。これにより、保護筒８１は回動軸３１，３２の相対移動を許容しながらこれら回動軸３１，３２間に支持されている。
【００３８】
締付装置Ａでは、ベース金具１０に本ロック片が形成されていない。その代わりに、図１３〜図１５に示すように操作アーム２０において仮ロック片１４の反対側の側壁２２には、支持穴２２ｘの近傍にロック穴２５が形成されている。このロック穴２５と長穴２２ｙの右上の端部（ロックピン５１の係合解除位置に対応する端部）とを結ぶ線は操作レバー２０と直交している。このロック穴２５と長穴２２ｙの右上の端部とを貫通する本ロック部材９０（図１にのみ示す）を貫通することにより、ロックピン５１の係合解除位置への移動が禁じられ、本ロックがなされる。
【００３９】
上記締付装置Ａの作用を図１３〜図１５を参照しながら説明する。蓋２は第２回動軸３２を中心として、図１３の開き状態から図１４の閉じ位置まで回動する。図１４の状態では蓋２はケーシング１から浮いており、この浮き状態は圧縮コイルバネ８０の弾性力で維持される。この状態で、操作レバー２０を圧縮コイルバネ８０に抗して反時計回りに回動すると、３つの回動軸３１，３２，３３が一直線上に位置するデットポイントに達する。この過程において、アーム７０が操作レバー２０に追随して反時計回りに回動してほぼ起立状態となるが、アーム７０の長さが殆ど変わらないため、第１回動軸３１が下降することになり、これに追随して蓋２が下降してシール部材３を押し当てられる。このように蓋２は、閉じ動作に際してシール部材３に触れず、操作レバー２０の回動に伴って下降してシール部材３に押し当てられるので、シール部材３をよじることなく良好に変形させることができ、シール性を高めることができる。
【００４０】
なお、ベース金具１０の支持片１５の延長部１５ａに長穴１５ｂが形成され、保護筒８１にスリット８１ａが形成され、これら長穴１５ｂ，スリット８１ａに第２回動軸３２が通っているので、蓋２の下降が許容される。
【００４１】
操作レバー２０がデッドポイントを過ぎると、圧縮コイルバネ８０の力で操作レバー２０はベース金具１０に向かって回動付勢され図１５に示す重ね位置に達する。この後のロック機構５０によるロック，ロック解除の作用については前述した締付装置Ｂと同様であるので、説明を省略する。
【００４２】
上記操作レバー２０がベース金具１０に重なった状態では、上記デッドポイントの時より蓋２がケーシング１から若干離れるが、シール部材３への押圧状態は維持される。ロック解除後に、操作レバー２０を時計回りに回動させ、デッドポイントを超えて図１５の位置から図１４の位置に戻すと、蓋２がシール部材３から浮く。その後で蓋２を開く。
【００４３】
図１６は、前述した締付装置Ｂを一部変形した締付装置Ｂ’を示す。この締付装置Ｂ’では、アーム１００だけが締付装置Ｂと異なり、他の構成は同様であるので説明を省略する。一対のアーム１００は細長い金属板を一部屈曲させてなり、その両端部が第２回動軸３２と第３回動軸３３に連結されている。操作レバー２０がデッドポイントまたはその近傍に位置している時には、アーム１００の屈曲部の弾性変形またはシール部材３の弾性変形が生じている。
【００４４】
なお、本発明は、上記実施の形態に限定されるものでなく、適宜変更可能である。例えば本ロックの構造は省いてもよい。
【００４５】
【発明の効果】
以上説明したように本発明によれば、ロックピンを付勢するピン付勢手段を操作レバー内に収容するので、人手により損傷するのを防止できる。また、ロック解除して操作レバーをベース部材から離す際の操作性が良い。
【図面の簡単な説明】
【図１】本発明に係わる２つの締付装置を備えた蓋付きケーシングの上部を示す概略側面図である。
【図２】一方の締付装置の拡大側面図である。
【図３】図２においてＩＩＩ方向から見た締付装置の拡大平面図である。
【図４】図２においてＩＶ−ＩＶ線に沿う締付装置の平断面図である。
【図５】図２においてＶ方向から見た締付装置の正面図である。
【図６】図２においてＶＩ−ＶＩ線に沿う締付装置の断面図である。
【図７】同締付装置の締付前の状態を示す側断面図である。
【図８】同締付装置の締付途中のデッドポイントの状態を示す側断面図である。
【図９】同締付装置の締付状態を示す側断面図である。
【図１０】他方のヒンジ機能付きの締付装置の拡大側面図である。
【図１１】同締付装置の平面図である。
【図１２】同締付装置の正面図である。
【図１３】蓋開き状態での同締付装置を示す側断面図である。
【図１４】蓋閉じ状態で締付前の同締付装置を示す側断面図である。
【図１５】同締付装置の締付状態を示す側断面図である。
【図１６】本発明の他の実施形態を示す図６相当図である。
【符号の説明】
１  ケーシング（一方の被緊締体）
２  蓋（他方の被緊締体）
５  支持金具（支持部材）
１０  ベース金具（ベース部材）
２０  操作レバー
２２  側壁
２２ｘ  支持穴
２２ｙ  長穴
３１  第１回動軸
３２  第２回動軸
３３  第３回動軸
４０  アーム
４３  圧縮コイルバネ（回動軸付勢手段）
５０  ロック機構
５１  ロックピン
５５  引張コイルバネ（ピン付勢手段）
６５  支持金具（支持部材）
７０  アーム
８０  圧縮コイルバネ（回動軸付勢手段）
１００  アーム
【図１】
2004183320.tif 000003
【図２】
2004183320.tif 000004
【図３】
2004183320.tif 000005
【図４】
2004183320.tif 000006
【図５】
2004183320.tif 000007
【図６】
2004183320.tif 000008
【図７】
2004183320.tif 000009
【図８】
2004183320.tif 000010
【図９】
2004183320.tif 000011
【図１０】
2004183320.tif 000012
【図１１】
2004183320.tif 000013
【図１２】
2004183320.tif 000014
【図１３】
2004183320.tif 000015
【図１４】
2004183320.tif 000016
【図１５】
2004183320.tif 000017
【図１６】
2004183320.tif 000018